【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
医療流体ポンピング・システムであって、
直線的に変位されうるピストン・ヘッドを備える医療流体ポンピング装置と、
該医療流体ポンピング装置に固定可能な医療流体カセットとを備え、該医療流体カセットは、
基部と、
前記基部に取り付けられた可撓性膜であって、該可撓性膜と前記基部とが連携して少なくとも流体ポンプ室を形成するように前記基部に取り付けられた可撓性膜と、
前記可撓性膜に取り付けられた締め付け部材であって、該締め付け部材は、前記医療流体ポンピング装置の前記ピストン・ヘッドを受け入れるように構成された陥凹部を形成しており、該締め付け部材は係合面を有し、該係合面は、該ピストン・ヘッドが該陥凹部内に配設されている場合、該ピストン・ヘッドが該陥凹部内に配設され、該医療流体カセットの該基部から直線的に離れるとき、該ピストン・ヘッドの係合面が該締め付け部材の係合面に係合し、該締め付け部材と該締め付け部材が取り付けられた該可撓性膜とを引っ張って該基部から離し、該流体ポンプ室の容積を増やすように該ピストン・ヘッドの該係合面と係合する、医療流体カセットと、からなる医療流体ポンピング・システム。
【請求項２】
前記医療流体カセットは、前記医療流体ポンピング装置によって形成されたカセット・コンパートメント内に前記医療流体カセットを配設することによって前記医療流体ポンピング装置に固定される請求項１に記載の医療流体ポンピング・システム。
【請求項３】
前記締め付け部材は、ほぼドーム形である部材からなる請求項１に記載の医療流体ポンピング・システム。
【請求項４】
前記締め付け部材の前記係合面は、前記ほぼドーム形の部材の径方向内向きに延在する突出部の表面である請求項３に記載の医療流体ポンピング・システム。
【請求項５】
前記ピストン・ヘッドは、本体部、および該本体部の周縁を越えて径方向に延在する接触面からなり、前記ピストン・ヘッドの前記接触面は、前記ピストン・ヘッドが前記締め付け部材の前記陥凹部内に挿入されるときに前記医療流体カセットの前記締め付け部材の
接触面と接触するように構成される請求項１に記載の医療流体ポンピング・システム。
【請求項６】
前記ピストン・ヘッドの前記接触面は、前記ピストン・ヘッドが前記締め付け部材の前記陥凹部内に挿入されたときに径方向内向きに移動するように構成される請求項５に記載の医療流体ポンピング・システム。
【請求項７】
前記ピストン・ヘッドの前記接触面は、前記ピストン・ヘッドの本体部に関して径方向に移動可能であるラッチの表面である請求項６に記載の医療流体ポンピング・システム。
【請求項８】
前記締め付け部材の前記接触面は、前記ピストン・ヘッドが前記締め付け部材の前記陥凹部内に挿入されたときに径方向外向きに偏向されるように構成される請求項５に記載の医療流体ポンピング・システム。
【請求項９】
前記締め付け部材の前記接触面は、前記締め付け部材の径方向内向きに延在する突出部の表面である請求項８に記載の医療流体ポンピング・システム。
【請求項１０】
前記ピストン・ヘッドは、前記ピストン・ヘッドの本体部に固定されるラッチからなり、前記ピストン・ヘッドの前記係合面は、前記ラッチの表面であり、前記ラッチは、前記ラッチの前記表面が前記本体部の周縁から径方向外向きに位置決めされる伸長位置を有する請求項１に記載の医療流体ポンピング・システム。
【請求項１１】
前記ラッチは、前記ラッチの前記表面が前記本体部の周縁から径方向内向きに位置決めされる引き込み位置を有する請求項１０に記載の医療流体ポンピング・システム。
【請求項１２】
前記本体部は、前部部材と後部部材とからなり、前記ラッチは、前部部材と後部部材との間に形成された空間内に位置決めされる請求項１１に記載の医療流体ポンピング・システム。
【請求項１３】
前記ピストン・ヘッドは、前記ラッチの径方向内向きの移動が第１の軸方向へのラッチ・ロックの軸方向移動を引き起こすように前記ラッチの関連する第１の角度を付けた表面に隣接して置かれる第１の角度を付けた表面を有する該ラッチ・ロックをさらに備える請求項１２に記載の医療流体ポンピング・システム。
【請求項１４】
前記ピストン・ヘッドは、前記ラッチ・ロックと前記前部部材との間に配設されたバネをさらに備え、これにより、前記第１の軸方向への前記ラッチ・ロックの前記軸方向移動に抵抗する請求項１３に記載の医療流体ポンピング・システム。
【請求項１５】
前記ラッチおよび前記ラッチ・ロックは、前記ラッチを径方向内向きに移動し、前記ラッチ・ロックを軸方向に移動するために前記ラッチに印加される力が解放されたときに、前記バネが伸長して前記ラッチ・ロックを前記第１の軸方向とは反対の第２の軸方向に移動し、前記ラッチの径方向外向きの移動を引き起こすように構成される請求項１４に記載の医療流体ポンピング・システム。
【請求項１６】
前記ピストン・ヘッドおよび前記締め付け部材は、前記ピストン・ヘッドが前記医療流体カセットの前記基部の方へ移動されるときに機械的に連結され、前記ピストン・ヘッドが前記医療流体カセットの前記基部から遠ざかるときに切り離されるように製作される請求項１に記載の医療流体ポンピング・システム。
【請求項１７】
前記ピストン・ヘッドは、前記締め付け部材の前記陥凹部内に配設され、前記係合面は、前記ピストン・ヘッドおよび前記締め付け部材が機械的に連結されると互いに接触する
請求項１６に記載の医療流体ポンピング・システム。
【請求項１８】
前記医療流体ポンピング装置は、透析装置である請求項１に記載の医療流体ポンピング・システム。
【請求項１９】
基部と、
可撓性膜と基部とが連携して少なくとも流体ポンプ室を形成するように該基部に取り付けられた該可撓性膜と、
該可撓性膜に取り付けられ、医療流体ポンピング装置のピストン・ヘッドを受け入れるように構成された陥凹部を形成し、該ピストン・ヘッドが該陥凹部内に配設され、カセットの基部から直線的に離れるときに、該ピストン・ヘッドが締め付け部材の係合面と係合し、締め付け部材および締め付け部材が取り付けられた該可撓性膜を引っ張って該基部から離し、該流体ポンプ室の容積を増やすように該ピストン・ヘッドが該陥凹部内に配設されたときに該ピストン・ヘッドと係合する係合面を有する締め付け部材と、からなる医療流体カセット。
【請求項２０】
前記医療流体ポンピング装置によって形成されたカセット・コンパートメント内に前記医療流体カセットを配設することによって前記医療流体ポンピング装置に固定される請求項１９に記載の医療流体カセット。
【請求項２１】
前記締め付け部材は、ほぼドーム形である部材からなる請求項１９に記載の医療流体カセット。
【請求項２２】
前記締め付け部材の前記係合面は、前記ほぼドーム形の部材の径方向内向きに延在する突出部の表面である請求項２１に記載の医療流体カセット。
【請求項２３】
前記締め付け部材は、前記ピストン・ヘッドが前記医療流体カセットの前記基部の方へ移動されるときに前記ピストン・ヘッドに機械的に連結され、前記ピストン・ヘッドが前記医療流体カセットの前記基部から遠ざかるときに前記ピストン・ヘッドから切り離されるように製作される請求項１９に記載の医療流体カセット。
【請求項２４】
透析流体カセットである請求項１９に記載の医療流体カセット。
【請求項２５】
直線的に変位されうるピストン・ヘッドからなり、該ピストン・ヘッドは医療流体カセットの締め付け部材によって形成された陥凹部内に配設されるように構成され、該ピストン・ヘッドは、該ピストン・ヘッドが該陥凹部内に配設され、該医療流体カセットの基部から直線的に離れるときに、該ピストン・ヘッドの係合面が該締め付け部材の係合面と係合し、該締め付け部材および該締め付け部材が取り付けられた可撓性膜を引っ張って該基部から離し、該可撓性膜と該基部との間の該医療流体カセット内に形成された流体ポンプ室の容積を増やすように該ピストン・ヘッドが該陥凹部内に配設されたときに該医療流体カセットの係合面と係合するように構成された係合面を有する医療流体ポンピング装置。
【請求項２６】
前記医療流体カセットを中に受け入れるように構成されたカセット・コンパートメントを形成する請求項２５に記載の医療流体ポンピング装置。
【請求項２７】
前記ピストン・ヘッドは、本体部、および該本体部の周縁を越えて径方向に延在する接触面からなる請求項２５に記載の医療流体ポンピング装置。
【請求項２８】
前記ピストン・ヘッドの前記接触面は、前記ピストン・ヘッドが前記締め付け部材の前記陥凹部内に挿入されたときに径方向内向きに移動するように構成される請求項２７に記
載の医療流体ポンピング装置。
【請求項２９】
前記ピストン・ヘッドの前記接触面は、前記ピストン・ヘッドの本体部に関して径方向に移動可能であるラッチの表面である請求項２８に記載の医療流体ポンピング装置。
【請求項３０】
前記ピストン・ヘッドは、前記ピストン・ヘッドの本体部に固定されるラッチからなり、前記ピストン・ヘッドの前記係合面は、前記ラッチの表面であり、前記ラッチは、前記ラッチの前記表面が前記本体部の周縁から径方向外向きに位置決めされる伸長位置を有する請求項２５に記載の医療流体ポンピング装置。
【請求項３１】
前記ラッチは、前記ラッチの前記表面が前記本体部の周縁から径方向内向きに位置決めされる引き込み位置を有する請求項３０に記載の医療流体ポンピング装置。
【請求項３２】
前記本体部は、前部部材と後部部材とからなり、前記ラッチは、前部部材と後部部材との間に形成された空間内に位置決めされる請求項３１に記載の医療流体ポンピング装置。
【請求項３３】
前記ピストン・ヘッドは、前記ラッチの径方向内向きの移動が第１の軸方向へのラッチ・ロックの軸方向移動を引き起こすように前記ラッチの関連する第１の角度を付けた表面に隣接して置かれる第１の角度を付けた表面を有する該ラッチ・ロックをさらに備える請求項３２に記載の医療流体ポンピング装置。
【請求項３４】
前記ピストン・ヘッドは、前記ラッチ・ロックと前記前部部材との間に配設されたバネをさらに備え、これにより、前記第１の軸方向への前記ラッチ・ロックの前記軸方向移動に抵抗する請求項３３に記載の医療流体ポンピング装置。
【請求項３５】
前記ラッチおよび前記ラッチ・ロックは、前記ラッチを径方向内向きに移動し、前記ラッチを軸方向に移動するために前記ラッチに印加される力が解放されたときに、前記バネが伸長して前記ラッチ・ロックを前記第１の軸方向とは反対の第２の軸方向に移動し、前記ラッチの径方向外向きの移動を引き起こすように構成される請求項３４に記載の医療流体ポンピング装置。
【請求項３６】
前記ピストン・ヘッドは、前記ピストン・ヘッドが前記医療流体カセットの前記基部の方へ移動されるときに前記締め付け部材に機械的に連結され、前記ピストン・ヘッドが前記医療流体カセットの前記基部から遠ざかるときに前記締め付け部材から切り離されるように製作される請求項２５に記載の医療流体ポンピング装置。
【請求項３７】
透析装置である請求項２５に記載の医療流体ポンピング装置。
【請求項３８】
ピストン・ヘッドを医療流体カセットの締め付け部材の陥凹領域内に送り、該ピストン・ヘッドを該締め付け部材に機械的に連結する工程と、次いで
該ピストン・ヘッドを往復運動させて、該締め付け部材の後退と前進を交互に行わせ、これにより、流体を前記医療流体カセットの流体ポンプ室内に引き込む動作と前記医療流体カセットの該流体ポンプ室から強制的に追い出す動作とを交互に行う工程と、からなる医療流体ポンピング方法。
【請求項３９】
前記ピストン・ヘッドの往復運動の後、前記ピストン・ヘッドをある距離だけ引っ込めて、前記ピストン・ヘッドを前記医療流体カセットの前記締め付け部材から切り離す工程をさらに含む請求項３８に記載の医療流体ポンピング方法。
【請求項４０】
前記医療流体カセットは、基部と、可撓性膜と該基部とが連携して少なくとも前記流体
ポンプ室を形成するように該基部に取り付けられた可撓性膜と、該可撓性膜に取り付けられた前記締め付け部材と、からなり、前記締め付け部材は、前記ピストン・ヘッドが陥凹部内に配設され、前記医療流体カセットの該基部から直線的に離れるときに、前記ピストン・ヘッドの係合面が前記締め付け部材の係合面と係合し、前記締め付け部材および前記締め付け部材が取り付けられた該可撓性膜を引っ張って該基部から離し、前記流体ポンプ室の容積を増やし、前記流体ポンプ室内に流体を引き込むように前記ピストン・ヘッドが陥凹部内に配設されたときに前記ピストン・ヘッドの係合面と係合する係合面を有する請求項３８に記載の医療流体ポンピング方法。